(57)【特許請求の範囲】
【請求項１】
逆コップ形に形成した樹脂製の取付け部主体と、この主体の上部に固着したナットと、上記ナットと螺合して主体の中心を上下に貫通し、螺合位置に回転不能に固着されたボルトとを備えた取付け部材と、下部に大径の接地部を具えて上記取付け部材に下から嵌合する樹脂製の接地部主体と、該主体の上部に固着されて上記ボルトの下部に螺合するナットとを備えた接地部材とからなり、前記取付け部材の上面に突出するボルトを、被支持体の裏面に備えた取付けナットに螺合させて、取付け部材を被支持体に緊締する一方、前記ボルトと上記ナットを介して取付け部材内に螺合させた前記接地部材の接地部主体を回転して接地面に圧接させるように構成した家具等のアジャスター。
【請求項２】
前記取付け部主体の上部に備えるナットは、該主体の裏面に下端面を臨出させて固着され、前記接地部主体の上部に備えるナットは、該主体の上面に上端面を臨出させて固着され、上記両ナットの端面の接触によって、アジャスト操作時における前記ボルトおよび取付け部材の共回りを防止するように構成したことを特徴とする請求項１記載の家具等のアジャスター。
【請求項３】
前記取付け部材を貫通して前記ナットにその螺合位置を固定される前記ボルトは、取付け部材の上方に十分な長さを有し、その上端に螺合する前記取付けナットとの間に棚板を介在させて緊締し得る適宜の長さを具えていることを特徴とする請求項１記載の家具等のアジャスター。
【請求項４】
前記被支持体の裏面に備える取付けナットは、該被支持体の裏面に埋設したブッシュに形成した嵌合部内に嵌装され、その上面を、被支持体と上記ブッシュの側面から螺入させた止めねじの先端に係合させて抜け止めされていることを特徴とする請求項１記載の家具等のアジャスター。
【発明の詳細な説明】
【０００１】
【発明の属する技術分野】
この発明は、例えばパイプ製の支柱を備えた棚とか机とか椅子のような家具の接地部に取り付けられるようにしたアジャスターに関し、軽量で、被支持体への取付けが簡単に、かつ、強固にできるようにしたことを特長とするものである。
【０００２】
【従来の技術】
従来、家具の脚等に取り付けるアジャスターは、主としてボルトの回転により接地部を昇降させて接地面との間のギャップを解消するアジャスト操作を行うようにしていた。
【０００３】
【発明が解決しようとする課題】
上記のようにギャップを解消するアジャスト操作をボルトの回転によって行うようにしていた従来のアジャスターは、一般に工具を使う必要があるので、女性とか年少者には被支持体への取付けとか、アジャスト操作が難しい場合がある。また、部品の大部分が金属製なので重い上に、工具を使用するための場所が要るとか、被支持体側への緊締が不完全になり易いなどの欠点があった。
このようなことから本発明が解決しようとする課題は、家具等に取り付けるアジャスターの軽量化とともに取付けに工具の使用を要さない簡単なものにする。また、アジャスト操作が誰にでも容易にできるようにすることにある。
【０００４】
【課題を解決するための手段】
そこで本発明は、逆コップ形に形成した樹脂製の取付け部主体と、この主体の上部に固着したナットと、上記ナットと螺合して主体の中心を上下に貫通し、螺合位置に回転不能に固着されたボルトとを備えた取付け部材と、下部に大径の接地部を具えて上記取付け部材に下から嵌合する樹脂製の接地部主体と、該主体の上部に固着されて上記ボルトの下部に螺合するナットとを備えた接地部材とからなり、前記取付け部材の上面に突出するボルトを、被支持体の裏面に備えた取付けナットに螺合させて、取付け部材を被支持体に緊締する一方、前記ボルトと上記ナットを介して取付け部材内に螺合させた前記接地部材の接地部主体を回転して接地面に圧接させるよう構成した家具等のアジャスターを提供するものである。
【０００５】
上記のように構成した本発明アジャスターは、予め、取付け部材内に垂下されているボルトの下部に接地部材のナットを螺合させて、両部材を一体に結合しておく。そして、テーブルの脚など被支持体への取付けに際しては、取付け部材の上面に突出しているボルトを被支持体の裏面に備えた所定の取付けナットに正対させて大径の接地部材の接地部を回転する。接地部材側のナットが螺合限度に達すると取付け部材が共回りし、その回転限度で取付け部材の上面と被支持体との間が緊締される。
【０００６】
次いで被支持体を設置位置に置いて、アジャスターと床面との間にギャップがある場合には、接地部材の接地部を、被支持体への取付け時とは逆方向に回転して、ボルトに沿って接地部材を下降させ、接地部裏面を床面に圧接させるアジャスト操作を行い、被支持体を床面上に定置する。
上記のようにして行われる本発明アジャスターの取付けとアジャスト操作は、大径の接地部の手動による正逆の回転操作によって行われる。したがって、工具が不要になるとともに比較的に力を要さずに簡単にでき、手狭な場所での作業も可能である。また、金属部品が１本のボルトと２個のナットに限られるので軽量化ができる。
【０００７】
なお、アジャスト操作のために接地部材側に加える逆回転力は、被支持体側と取付け部材側の接触面をそれぞれ大径に形成して、上記逆回転力が両接触面に生ずる摩擦抵抗を上回らないようにしてボルトを共回りさせず、両部材間の緊締に弛みを生じさせないようにすることはいうまでもない。
以上のようにして、本発明は前記の課題を解決したものである。
【０００８】
取付け部主体の上部に備えるナットの下端面を該主体の裏面に臨出させて固着し、接地部主体の上部に備えるナットの上端面を該主体の上面に臨出させて固着して、両ナットの端面の接触によって、アジャスト操作時におけるボルトの共回りを防止するようにした請求項２の発明は、ギャップ解消のために接地部材を逆回転操作する場合に、アジャスターの取付け時に密に緊締された取付け部材との接触面の摩擦抵抗が最小化するので、逆回転操作をより円滑化することができ、より確実にボルトの共回りを防止する効果がある。
【０００９】
すなわち、本発明に係るアジャスターは、取付け部材と被支持体の接触面をそれぞれ適宜に大径に設計することにより、アジャスト調整時における取付け部材の共回りを防止することができるが、上記請求項２の発明を採用することによって、取付け部材を被支持体に緊締した場合に、取付け部材と接地部材との間の接触が、取付け部材側のナットと接地部材側のナットとの比較的に小径の金属面同士の圧接となるので、接地部材の逆方向の回転時には摩擦の少ない両ナットの接合面に滑りを生じて簡単に接地部材側のナットの離間を生ずる。したがって、ギャップ解消のための逆回転操作が容易になり、ボルトの共回りがなく、取付け部材と被支持体との緊締には全く影響を及ぼさないので、被支持体に固定したアジャスターに弛みを生ずるおそれが全くなくなる。
【００１０】
本発明アジャスターを取り付ける被支持体は、平滑な取付け面を有し、適合するナットを備えたものであれば特にその態様に限定はないが、実施例に示すように被支持体として下端部にブッシュを埋設し、該ブッシュに取付けナットを嵌着したパイプ支柱を用いる場合、アジャスターと支柱を直結すれば、椅子、テーブルなどの接地脚とすることができる。
また、図１、２に図示するように、取付け部材を貫通するボルトの上部に十分な長さを具えるようにした請求項３の発明によれば、取付け部材と被支持体との間に棚板を介在させて、被支持体、棚板、アジャスターの３部材を一体に緊締することができる。
【００１１】
また、被支持体の下部に埋設したブッシュに取付けナットを嵌着し、該ナットの上面を被支持体の側面から螺入させた止めねじの先端で掛止させて抜け止めするようにした請求項４の発明によれば、被支持体側に過負荷が掛かった場合に取付けナットの浮き上がりを防止することができる。また、取付けナットとボルトとの緊締に振動によって弛みが生ずることも阻止できる。
【００１２】
【実施例】
図面に示す実施例は、本発明アジャスターＡを棚板付テーブルとか本棚の脚部に使用した場合のもので、図１は、実施例の一部切欠分解立面図、図２は、その組立状態を示す一部切欠立面図である。
【００１３】
図において、１は、被支持体３側に取り付けられる取付け部材、２は、取付け部材１内に回転自在に嵌合して床面Ｆに接地する接地部材である。
取付け部材１は、図示するように逆コップ形に形成された樹脂製の取付け部主体４と、主体４の上部裏面に下端面５’を臨ませて埋設されたナット５と、ナット５と螺合し、主体４の中心を貫通して上下に突出するとともに、ナット５との螺合位置に回転不能に固着されたボルト６とを備えている。
【００１４】
接地部材２は、下部にフランジ状に大径に形成された接地部７を具えて、下から取付け部材１と嵌合する樹脂製の接地部主体８と、該主体８の上面に上端面９’を臨ませて埋設されて、取付け部材１のボルト６の下部と螺合するナット９とを備え、予め取付け部材１内に嵌合し、接地部７を回転することによってナット９を取付け部材１側のボルト６との螺合限度まで推し進めて、取付け部材１と一体に結合させておくようにする。
【００１５】
図示するように、実施例において被支持体３には、下端部に、パイプの内径に沿う内外二重の筒形部１０、１１とパイプの下端面に臨出するフランジ部１２とを形成して、中心に取付けナット１３を嵌着したブッシュ１４を固着したパイプ支柱を用い、被支持体３とアジャスターＡとの間に介在させる棚板１５には、角部の所定位置にボルト６を挿通させる貫通孔１６を設けたものを用いている。
【００１６】
本発明に係るアジャスターＡを被支持体３に取り付ける場合は、被支持体３側の取付けナット１３にボルト６の上端を整合させて、予め螺合限度まで推し進めておいた接地部主体８の接地部７を手動で回すと、取付け部主体４とボルト６とが共回りして取付け部材１が間に棚板１５を介在させて被支持体３に緊締され一体化する。
次いで、被支持体３を所定位置に置いて、取り付けたアジャスターＡと床面Ｆとの間にギャップＧがある時は、接地部主体８の接地部７を取付け操作時とは逆方向に（反時計回りに）手動で回転し、ボルト６に誘導させて接地部材２を床面Ｆに圧接するまで下降させ、ギャップＧを解消するアジャスト操作を行う。
【００１７】
上記アジャスト操作時に、接地部材２の上部のナット９は、前述のように小径の金属面同士の接触のためそれまで圧接していた取付け部材１側のナット５から容易に離間し、被支持体３と取付け部材１との緊締には全く影響しない。すなわち、アジャスター取付け時の緊締は、接地部材２側のナット９の上端面９’と取付け部材１側のナット５の下端面５’との螺合限度の接触により形成されるが、逆回転時には、摩擦抵抗の少ない金属面同士の相対的な回転を生ずるので、両接触面間に容易に滑りを生じて、接地部材２のナット９のみが回転し、離間を生ずる。
【００１８】
前記被支持体３内でブッシュ１４に固着された取付けナット１３は、被支持体３の側面からねじ込んだ止めねじ１７の先端を内外二重の筒形部１０、１１に貫通させ、その先端を該ナット１３の上面に係合させることによって抜け止めされ、反復する負荷とか振動による取付けナット１３の弛みを阻止している。
【００１９】
上記ナット５と取付け部材１、ナット９と接地部材２、取付けナット１３と被支持体のブッシュ１４との固着は、各部材にナットの外形に沿うように形成した嵌合部１８内に接着剤を介してそれぞれ強固に固定されている。
【００２０】
なお、本発明アジャスターＡは、家具等の床面Ｆへの接地に限らず、間仕切り柱の上下のアジャスターとか、壁間の突っ張り棒のアジャスターにも使用することができ、その態様は、本発明の要旨に沿って設計変更される場合もあり、実施例に限定されないことはいうまでもない。
【００２１】
【発明の効果】
前記のように構成され、上記のように用いられるようにした本発明アジャスターは、被支持体への取付けとアジャスト操作が大径に形成した接地部材の接地部の手動による回転操作によって行われるので、工具を必要とせずに力の弱い人にも使用できる。また、アジャスト操作がその前に行ったアジャスターの取付け時の緊締に影響しない。また、被支持体への取付け状態が取付け部材の比較的に大径な上面の圧接により保持されるので部材相互の緊締が強固にできる。また、組立が容易である。
【００２２】
さらに、従来のアジャスターによれば、ギャップ解消のためにアジャスト操作をすると被支持体への取付け部にボルトが露呈して外見が見苦しくなるが、本発明アジャスターは、太い逆コップ状の取付け部材がボルトを覆っているので、家具等の接地部分の外観が優れたものになるなどきわめて多くの優れた効果を奏することができる。
【図面の簡単な説明】
【図１】図１は実施例をその使用状態とともに示す一部切欠分解立面図
【図２】図２は使用状態の一部切欠立面図である。
【符号の説明】
Ａ  アジャスター
Ｆ  床面
Ｇ  ギャップ
１  取付け部材
２  接地部材
３  被支持体
４  取付け部主体
５  ナット    （５’  下端面）
６  ボルト
７  接地部
８  接地部主体
９  ナット    （９’  上端面）
１０  筒形部
１１  筒形部
１２  フランジ部
１３  取付けナット
１４  ブッシュ
１５  棚板
１６  貫通孔
１７  止めねじ
１８  嵌合部
【図１】
0004505128.tif 000002
【図２】
0004505128.tif 000003